(57)【要約】【課題】簡単な構成で、表示装置の横移動の防止が可能な表示装置用壁取付具を提供する。【解決手段】表示装置用壁取付具は、平板部１０と、平板部１０から略直角方向に張り出し平板部１０に平行な水平方向に沿って形成された張出部１３と、を有するベース板２と、表示装置１に固定可能で細長の形状を有し、ベース板２の平板部１０を正対視したときに長手軸方向が水平方向に対して略直交するように取り付け可能な２つのフレーム３と、ベース板２に設けられ、２つのフレーム３がベース板２に取り付けられたときに張出部１３の先端部分よりも突出して、２つのフレーム３の少なくとも一方の水平方向の移動を規制する２つの凸部２３ｂと、を有する。【選択図】図１４
2019068315.tif 000002
【特許請求の範囲】
【請求項１】
平板部と、前記平板部から略直角方向に張り出し前記平板部に平行な第１の方向に沿って形成された第１の張出部と、を有する板状部材と、
表示装置に固定可能で細長の形状を有し、前記板状部材の前記平板部を正対視したときに長手軸方向が前記第１の方向に対して略直交するように取り付け可能な少なくとも２つのフレーム部材と、
前記板状部材に設けられ、前記２つのフレーム部材が前記板状部材に取り付けられたときに前記第１の張出部の先端部分よりも突出して、前記２つのフレーム部材の少なくとも一方の前記第１の方向の移動を規制する少なくとも２つの凸部と、
を有する表示装置用壁取付具。
【請求項２】
前記２つのフレーム部材の前記少なくとも一方は、断面がコの字状で底板部と２つの側壁部とを有し、
前記２つのフレーム部材が前記板状部材に取り付けられたときに前記２つの凸部の間に、前記２つのフレーム部材の前記少なくとも一方の前記２つの側壁部の一方が配置される、請求項１に記載の表示装置用壁取付具。
【請求項３】
前記板状部材は、前記第１の方向に平行な方向に沿って形成された第２の張出部を有し、
前記表示装置が前記２つのフレーム部材を介して前記板状部材に取り付けられたとき、前記第１の張出部は、前記平板部に対して前記表示装置の鉛直方向における下方側に配置され、前記第２の張出部は、前記平板部に対して前記表示装置の前記鉛直方向における上方側に配置される、請求項１又は２に記載の表示装置用壁取付具。
【請求項４】
前記２つの凸部は、前記板状部材とは別部材に設けられ、
前記別部材は、前記板状部材に固定されている、請求項１から３のいずれか１つに記載の表示装置用壁取付具。
【請求項５】
前記別部材は、複数の凸部と複数の凹部を有する凹凸部を有し、
前記少なくとも２つの凸部は、前記凹凸部の一部である、請求項４に記載の表示装置用壁取付具。
【請求項６】
前記別部材は、前記板状部材の前記第１の方向の長さよりも短い長さを有し、前記凹凸部が前記板状部材の前記第１の方向における中央の位置を含むように、前記板状部材に固定されている、請求項５に記載の表示装置用壁取付具。
【請求項７】
前記別部材が前記板状部材に固定されたときの前記複数の凹部の底部の前記板状部材の前記平板部からの距離は、前記第１の張出部の先端面の前記平板部からの距離よりも短い、請求項５に記載の表示装置用壁取付具。
【請求項８】
前記第１の張出部は、前記板状部材の一部を前記第１の方向に沿って折り曲げて形成され、
前記２つの凸部は、折り曲げられた前記第１の張出部の先端部に形成されている、請求項１から３のいずれか１つに記載の表示装置用壁取付具。
【請求項９】
前記第１の張出部は、前記板状部材を前記第１の方向に沿って折り曲げて形成され、
前記２つの凸部は、前記張出部を折り曲げて形成された延出部の表面に形成されている、請求項１から３のいずれか１つに記載の表示装置用壁取付具。
【請求項１０】
前記２つのフレーム部材に設けられ、前記２つのフレーム部材が前記板状部材に取り付けられたときに、前記２つのフレーム部材が前記板状部材から離れないように前記板状部材をロックするロック機構を有する、請求項１から９のいずれか１つに記載の表示装置用壁取付具。  
【請求項１１】
平板部と、前記平板部から略直角方向に張り出し前記平板部に平行な第１の方向に沿って形成された第１の張出部と、を有する板状部材と、
表示装置に固定可能で細長の形状を有し、前記板状部材の前記平板部を正対視したときに長手軸方向が前記第１の方向に対して略直交するように取り付け可能な少なくとも２つのフレーム部材と、
前記板状部材に設けられ、前記板状部材の前記平板部を正対視したときに長手軸方向が前記第１の方向に対して略直交するように２つのフレーム部材が前記板状部材に取り付けられたときに前記第１の張出部の先端部分よりも突出して、前記２つのフレーム部材の少なくとも一方の前記第１の方向の移動を規制する少なくとも２つの凸部と、
を有する表示装置用壁取付ベース板。
【請求項１２】
表示装置と、
平板部と、前記平板部から略直角方向に張り出し前記平板部に平行な第１の方向に沿って形成された第１の張出部と、を有し、前記表示装置が取り付けられる壁面に固定可能な板状部材と、
前記表示装置に固定可能で細長の形状を有し、前記板状部材の前記平板部を正対視したときに長手軸方向が前記第１の方向に対して略直交するように取り付け可能な少なくとも２つのフレーム部材と、
前記板状部材に設けられ、前記２つのフレーム部材が前記板状部材に取り付けられたときに前記第１の張出部の先端部分よりも突出して、前記２つのフレーム部材の少なくとも一方の前記第１の方向の移動を規制する少なくとも２つの凸部と、
を有する表示装置セット。
【発明の詳細な説明】
【技術分野】
【０００１】
本発明の実施形態は、表示装置用壁取付具、表示装置用壁取付ベース板及び表示装置セットに関する。
【背景技術】
【０００２】
薄型テレビなどの表示装置は、スタンドが取り付けられて台の上に置かれるだけでなく、壁掛け用の取付具により、壁面などに設置される場合がある。
【０００３】
また、表示装置を壁掛け設置する取付具には、表示装置を壁面に取り付けた後に、表示装置を横方向にスライドさせて、横移動が可能なものがある。そのような取付具を用いることにより、ユーザは、表示装置をスライドさせて、所望の位置にくるよう調整あるいは微調整することができる。
【０００４】
しかし、そのような取付具を表示装置に用いると、振動、外力などの力が表示装置に加わったときに、表示装置がユーザの意図しない位置に横移動してしまう場合がある。例えば、子供が遊んでいるときに、薄型テレビにぶつかったりすると、薄型テレビの位置は元の位置から移動してしまう場合がある。
【０００５】
表示装置の意図しない横移動が発生すると、表示装置から延出する配線、配線の接続部に負荷が掛かり、表示装置の故障等に繋がる。最悪、表示装置が落下する場合もある。
【先行技術文献】
【特許文献】
【０００６】
【特許文献１】特開２０１６−１１１５０６号公報
【発明の概要】
【発明が解決しようとする課題】
【０００７】
そこで、本実施形態は、簡単な構成で、表示装置の横移動の防止が可能な表示装置用壁取付具、表示装置用壁取付ベース板及び表示装置セットを提供することを目的とする。
【課題を解決するための手段】
【０００８】
実施形態の表示装置用壁取付具は、平板部と、前記平板部から略直角方向に張り出し前記平板部に平行な第１の方向に沿って形成された第１の張出部と、を有する板状部材と、表示装置に固定可能で細長の形状を有し、前記板状部材の前記平板部を正対視したときに長手軸方向が前記第１の方向に対して略直交するように取り付け可能な少なくとも２つのフレーム部材と、前記板状部材に設けられ、前記２つのフレーム部材が前記板状部材に取り付けられたときに前記第１の張出部の先端部分よりも突出して、前記２つのフレーム部材の少なくとも一方の前記第１の方向の移動を規制する少なくとも２つの凸部と、を有する。
【図面の簡単な説明】
【０００９】
【図１】実施形態に係わる表示装置用壁取付具を用いた表示装置の壁掛け方法を説明するための図である。
【図２】実施形態に係わる表示装置用壁取付具を用いた表示装置の壁掛け方法を説明するための図である。
【図３】実施形態に係わる表示装置用壁取付具を用いた表示装置の壁掛け方法を説明するための図である。
【図４】実施形態に係わるベース板２の正面図である。
【図５】実施形態に係わるベース板２の底面図である。
【図６】実施形態に係わるベース板２の右側面図である。
【図７】実施形態に係わるスライドストッパ２１の斜視図である。
【図８】実施形態に係わる縦フレーム３の正面図である。
【図９】実施形態に係わる縦フレーム３の背面図である。
【図１０】実施形態に係わる縦フレーム３の左側面図である。
【図１１】実施形態に係わる縦フレーム３の平面図である。
【図１２】実施形態に係わる縦フレーム３の底面図である。
【図１３】実施形態に係わる、縦フレーム３のロック機構４１近傍の部分斜視図である。
【図１４】実施形態に係わる、縦フレーム３がベース板２にロックされているときの、凸部２３ｂの近傍領域を拡大した側面図である。
【図１５】実施形態に係わる、縦フレーム３がベース板２に固定されているときの、凸部２３ｂの近傍領域を拡大した平面図である。
【図１６】実施形態の変形例１に係わるベース板２Ａの斜視図である。
【図１７】実施形態の変形例１に係わるベース板２Ａに設けられた凸部５２を拡大した斜視図である。
【図１８】実施形態の変形例１に係わるベース板２Ａの一部の底面図である。
【図１９】実施形態の変形例２に係わるベース板２Ｂの斜視図である。
【図２０】実施形態の変形例２に係わるベース板２Ｂに設けられた凸部６１を拡大した斜視図である。
【図２１】実施形態の変形例２に係わるベース板２Ｂの一部の底面図である。
【発明を実施するための形態】
【００１０】
以下、図面を参照して実施形態を説明する。
（構成）
本実施形態の表示装置用壁取付具は、ベース板２と２つの縦フレーム３により構成される。
【００１１】
始めに、表示装置の壁面への取付方法について簡単に説明する。各部品の詳細な構成については、後述する。  
【００１２】
図１〜図３は、実施形態に係わる表示装置用壁取付具を用いた表示装置の壁掛け方法を説明するための図である。図１及び図２は、表示装置１の背面側から見た斜視図であり、図３は、表示装置１の正面側から見た斜視図である。
【００１３】
取付具を構成するベース板２が、室内などの壁面へ取付けられる。ベース板２は、略矩形の板状の板金部材であり、螺子などにより壁面に固定される表示装置用壁取付ベース板である。表示装置１を取り付けたい壁面上の位置に合わせて、作業者は、ベース板２を壁面に固定する。表示装置１は、薄型テレビ、デジタルサイネージなどである。
【００１４】
一方で、図１及び図２に示すように、２つの縦フレーム３は、表示装置１に固定可能で細長の形状を有している。２つの縦フレーム３が、長手軸方向が垂直方向に平行になるように螺子などにより、表示装置１のバックカバー１ａに固定される。表示装置１の表側には、液晶パネルなどの表示面１ｂが露出している。
【００１５】
２つの縦フレーム３の各々は、水平方向に所定の間隔Ｄで並ぶように、螺子によりバックカバー１ａに固定されるフレーム部材である。所定の間隔Ｄは、表示装置１がベース板２に対してしっかりと固定できるように、表示装置１のサイズに応じて、予め決められた長さである。
【００１６】
図２及び図３に示すように、作業者は、各縦フレーム３に設けられた係合部３ａをベース板２の上辺に形成された係合部２ａに係合させ、壁面に固定されたベース板２に２つの縦フレーム３を引っ掛けるようにして、表示装置１を壁に設置することができる。
【００１７】
このとき、２つの係合部３ａは、ベース板２の上辺に沿って板金部材を折り曲げて形成された係合部２ａに引っ掛かっているだけであるため、表示装置１をベース板２に対して水平方向に移動させることができる。作業者は、表示装置１の水平方向の位置の調整を行うことができる。
【００１８】
また、各縦フレーム３の係合部３ａの下方に、ベース板２が当接する当接部３ｂが設けられている。
表示装置１と、ベース板２と、２つの縦フレーム３により、表示装置セットが構成される。
【００１９】
（ベース板の構成）
図４は、ベース板２の正面図である。図５は、ベース板２の底面図である。図６は、ベース板２の右側面図である。
【００２０】
ベース板２は、矩形の板金部材である。ベース板２の長手軸方向は、ベース板２が壁面に固定されたとき、水平方向に一致する。
【００２１】
ベース板２は、平板部１０と、平板部１０の長手軸方向に直交する短手軸方向の両縁辺部が折り曲げられて形成された係合部２ａと２ｂを有している。図６に示すように、ベース板２の上下方向の両側に、係合部２ａと２ｂが形成されている。ベース板２の上下方向は、ベース板２が壁面に固定されたとき、鉛直方向に一致する。
【００２２】
ベース板２の平板部１０には、壁面に螺子などで固定するための複数の長孔２ｄが形成されている。各長孔２ｄの中心軸は、ベース板２の長手軸方向に平行である。
図６に示すように、係合部２ａは、ベース板２に直交する方向（表示装置１側に水平な方向）に張り出した張出部１１と、張出部１１に連続し、ベース板２に平行に上側に延出した延出部１２とを有する。延出部１２は、ベース板２の平板部１０に平行で、平板部１０の長手軸方向に平行に形成されたフランジを構成する。
【００２３】
係合部２ｂは、ベース板２に直交する方向（表示装置１側に水平な方向）に張り出した張出部１３と、張出部１３に連続し、ベース板２に平行に下側に延出した延出部１４とを有する。延出部１４は、ベース板２の平板部１０に平行で、平板部１０の長手軸方向に平行に形成されたフランジを構成する。
【００２４】
すなわち、ベース板２は、板状部材であり、平板部１０と、平板部１０から略直角方向に張り出し平板部１０に平行な方向に沿って形成された張出部１３を有する。さらに、ベース板２は、張出部１３が形成された方向に平行な方向に沿って形成された張出部１１を有する。表示装置１が２つのフレーム３を介してベース板２に取り付けられたとき、張出部１３は、平板部１０に対して表示装置１の鉛直方向における下方側に配置され、張出部１１は、平板部１０に対して表示装置１の鉛直方向における上方側に配置される。
【００２５】
さらに、ベース板２は、長手軸方向の両端部に折り曲げ部２ｃを有している。各折り曲げ部２ｃは、ベース板２の長手軸方向の両縁辺部をベース板２の平板部１０に直交する方向で、２つの張出部１１，１３と同じ側に折り曲げられて形成されている。２つの折り曲げ部２ｃは、取り付けられた２つの縦フレーム３が、ベース板２の両端部から外れるのを防止するために設けられている。
【００２６】
ベース板２は、ベース板２の平板部１０と係合部２ｂの張出部１３により形成された段差部２ｅを有する。  
段差部２ｅには、スライドストッパ２１が固定される。図７は、スライドストッパ２１の斜視図である。
【００２７】
スライドストッパ２１は、矩形の細長の板金部材であり、長手軸に平行な軸に沿って直角に折り曲げた形状を有する。  
スライドストッパ２１は、ベース板２の平板部１０に密着する平板部２２と、平板部２２の一辺から平板部２２に直角に延出する延出部２３とを有する。平板部２２には、長手軸方向に沿って複数の長孔２２ａが形成されている。
【００２８】
スライドストッパ２１の長手軸に平行な延出部２３の縁辺部には、波形形状の凹凸部２３ａが形成されている。凹凸部２３ａは、凸部２３ｂと凹部２３ｃが交互になるように複数の凹凸が形成されている部分である。  
図４及び図６に示すように、スライドストッパ２１は、スライドストッパ２１の平板部２２と延出部２３の峰の部分２１ａをベース板２の段差部２ｅに当接させて、接着剤あるいは粘着テープによりベース板２に固定される。
【００２９】
以上のように、凹凸部２３ａは、ベース板２とは別部材であるスライドストッパ２１に設けられ、スライドストッパ２１は、ベース板２に固定されている。スライドストッパ２１は、複数の凸部２３ｂと複数の凹部２３ｃを有する凹凸部２３ａを有している。
スライドストッパ２１がベース板２に固定されたときに、ベース板２を２つの縦フレーム３側からみたときに、スライドストッパ２１の各長孔２２ａは、ベース板２の１つの長孔２ｄと一致する形状、あるいは１つの長孔２ｄよりも長い長さを有している。
【００３０】
また、図５に示すように、ベース板２を底面側から見たときに、凹凸部２３ａの凸部２３ｂが延出部１４の先端面から突出するように、スライドストッパ２１はベース板２に固定される。後述するように、２つの凸部２３ｂ間に縦フレーム３の２つの側壁部３２（図８）が入り込むことにより、表示装置１の横移動が規制される。
【００３１】
なお、隣り合う２つの凸部２３ｂ間の間隔Ｗを大きくすれば、表示装置１の横移動が規制されたときの遊びも大きくなる。隣り合う２つの凸部２３ｂ間の間隔Ｗは、その遊び量に応じて設定される。
【００３２】
また、ここでは、凸部２３ｂの先端部は、後述する縦フレーム３の２つの側壁部３２が当たっても２つの凸部２３ｂの間に入りやすいように、かつ作業者の指などが当たったときに痛くないように半円形状を有している。なお、凸部２３ｂの先端部は、矩形形状でもよい。
【００３３】
図６及び図７に示すように、平板部２２の表面から凸部２３ｂの頂部までの高さｈｔは、スライドストッパ２１をベース板２に固定したときに凸部２３ｂが縦フレーム３の２つの側壁部３２（図８）間に入り込む高さである。
【００３４】
また、平板部２２の表面から凹部２３ｃの底部までの高さｈｂは、スライドストッパ２１をベース板２に固定したときに、凹部２３ｃの底部がベース板２の延出部１４から突出しない高さである。すなわち、高さｈｂは、延出部１４の高さｈ以下である。より詳しくは、別部材であるスライドストッパ２１がベース板２に固定されたときの複数の凹部２３ｃの底部のベース板２の平板部１０からの距離ｈｂは、張出部１３の先端面の平板部１０からの距離ｈよりも短い。
なお、スライドストッパ２１を複数種類のベース板２に取付可能にするために、高さｈｂは、複数の種類のベース板２の中で最も低い高さｈ以下であることが好ましい。
【００３５】
また、図４に示すように、ここでは、スライドストッパ２１は、ベース板２の水平方向の幅ＷＤよりも短い長さを有している。スライドストッパ２１の一端をベース板２の水平方向における一端に位置させたときに、スライドストッパ２１の他端がベース板２の少なくとも中心位置Ｃの近傍にくるような長さを、スライドストッパ２１は有している。
すなわち、スライドストッパ２１は、ベース板２の水平方向の長さよりも短い長さを有し、凹凸部２３ａがベース板２の水平方向における中央の位置を含むように、ベース板２に固定されている。
【００３６】
これは、図４において二点鎖線で示すように、２つの縦フレーム３は、ベース板２に所定の間隔Ｄを持って取り付けられるので、スライドストッパ２１は、２つの縦フレーム３の一方を含む領域内にあればよいからである。
【００３７】
さらに、凹凸部２３ａの少なくとも２つの凸部２３ｂ間に１つの縦フレーム３の２つの側壁部３２の一方だけが配置していれば、表示装置１の横方向の移動が規制される。よって、スライドストッパ２１は、２つの凸部２３ｂが１本の縦フレーム３の少なくとも１つの側壁部３２にかかるように、ベース板２に固定されていればよく、かつ、スライドストッパ２１は、２つの縦フレーム３がベース板２に取り付けられたときに、縦フレーム３の１つの側壁部３２を挟む２つの凸部２３ｂを有していればよい。
すなわち、スライドストッパ２１は、ベース板２に設けられ、２つのフレーム３がベース板２に取り付けられたときに張出部１３の先端部分よりも突出して、２つのフレーム３の少なくとも一方の水平の方向の移動を規制する少なくとも２つの凸部２３ｂを有する。
【００３８】
しかし、本実施形態では、スライドストッパ２１を各種サイズの表示装置１に対応させるために、スライドストッパ２１の凹凸部２３ａは、ベース板２の長手軸方向における中心位置Ｃから片側（図４では左側）の範囲ＲＳに亘って設けられている。
【００３９】
なお、複数のサイズの表示装置１の中で、所定の間隔Ｄが最大の間隔でベース板２に取り付けられる２つの縦フレーム３の一方の位置ＰＭから中心位置Ｃまでの範囲ＲＳＰに、スライドストッパ２１の凹凸部２３ａは設けられていればよい。
【００４０】
すなわち、スライドストッパ２１は、２つの縦フレーム３がベース板２に引っ掛けるようにして取りつけられたときに、凹凸部２３ａが少なくとも１つの縦フレーム３の横移動を規制する位置に配置される長さを有していればよい。
（縦フレームの構成）
図８は、縦フレーム３の正面図である。図９は、縦フレーム３の背面図である。図１０は、縦フレーム３の左側面図である。図１１は、縦フレーム３の平面図である。図１２は、縦フレーム３の底面図である。図１３は、縦フレーム３のロック機構４１近傍の部分斜視図である。
【００４１】
縦フレーム３は、図８に示す正面側が、ベース板２の平板部１０に対向するように、ベース板２に取り付けられる。すなわち、各縦フレーム３は、表示装置１に固定可能で細長の形状を有し、ベース板２の平板部１０を正対視したときに長手軸方向が水平方向に対して略直交するように取り付け可能なフレーム部材である。なお、本実施形態では、表示装置１に固定される縦フレーム３は、２つであるが、３つ以上でもよい。すなわち、縦フレーム３は、少なくとも２つあればよい。  
縦フレーム３は、細長の板金部材を長手軸方向に沿って折り曲げて断面がコの字状に形成され、細長の底板部３１と、底板部３１の短手軸方向の両側を直角若しくは略直角に曲げられて形成された２つの側壁部３２とを有する。
図１０に示すように、各側壁部３２は、側壁部３２を正対視したときに中央部が盛り上がった形状を有し、かつその中央部には、切り欠き部３２ａが形成されている。
【００４２】
底板部３１は、長手軸方向に沿って形成された複数の孔３１ａと複数の長孔３１ｂを有している。複数の孔３１ａは、底板部３１の上側領域に形成され、複数の長孔３１ｂは、底板部３１の下側領域に形成されている。孔３１ａ及び長孔３１ｂは、螺子で縦フレーム３を表示装置１のバックカバー１ａの螺子孔に固定するときのための孔であり、孔３１ａ及び長孔３１ｂが縦フレーム３に複数形成されているのは、表示装置１の種類に応じてバックカバー１ａに形成された螺子孔の位置が異なるため、縦フレーム３を様々な種類の表示装置１に取り付けることができるようにするためである。
【００４３】
各側壁部３２の切り欠き部３２ａの上側端部には、凹部３２ｂが形成されている。各側壁部３２の切り欠き部３２ａの下側端部には、凹部３２ｃが形成されている。  
縦フレーム３には、上述したように係合部３ａが設けられている。係合部３ａは、切り欠き部３２ａの上端部に設けられ、２つの切り欠き部３２ａの上側から下側に延出するように形成された２つの係止爪３３を有している。
【００４４】
縦フレーム３には、上述したように当接部３ｂが設けられている。凹部３２ｃが、当接部３ｂを構成する。当接部３ｂには、ベース板２の下側フランジである延出部１４が当接する。
【００４５】
さらに、２つの側壁部３２の凹部３２ｃの近傍には、縦フレーム３の長手軸に直交し、かつ底板部３１に平行に形成された２つの長孔３２ｄが形成されている。凹部３２ｃの下部近傍に、ロック機構４１が設けられている。
【００４６】
ロック機構４１は、図１１から図１３に示すように、軸部材４２と、断面がコの字状の可動部材４３と、引っ張りバネであるバネ４４とを有する。  
バネ４４の一端は、底板部３１に形成された孔３２ｆに設けられた爪３２ｇに係止され、他端は、軸部材４２に係止されている。
【００４７】
軸部材４２の一端には、拡径部４２ａが形成され、軸部材４２の他端は、留め輪４２ｂなどにより固定される。軸部材４２は、２つの長孔３２ｄ内に挿通される。軸部材４２は、２つの長孔３２ｄ内を摺動可能な直径を有すると共に、ワッシャ４５が軸部材４２の拡径部４２ａと可動部材４３の間及び留め輪４２ｂと可動部材４３の間に介装されている。
【００４８】
可動部材４３は、軸部材４２に固定され、軸部材４２にはバネ４４の一端が係止されているため、可動部材４３は、切り欠き部３２ａ側に常に引っ張られている。可動部材４３は、切り欠き部３２ａ側に突出した２つの爪部４３ａを有している。各爪部４３ａは、図１０及び図１３に示すように斜面部を有している。
【００４９】
可動部材４３が切り欠き部３２ａ側に常に引っ張られた状態で、軸部材４２が長孔３２ｄの端部に押圧されているとき、２つの爪部４３ａが切り欠き部３２ａの２つの係止爪３３に向かって突出している。
【００５０】
作業者は、各縦フレーム３をベース板２に取り付けるときは、可動部材４３をバネ４４の引っ張り力に抗うように引っ張って下側へスライドさせた状態で、縦フレーム３をベース板２に押し当てると、爪部４３ａがもつ斜面により、押し当てるだけで、バネ４４が伸び爪部４３ａが下側へ移動する。延出部１４に突き当たるまで移動すると、バネ４４の力で爪部４３ａが自動で戻り、ベース板２をロックする。
以上のように、ロック機構４１は、２つのフレーム３に設けられ、２つのフレーム３がベース板２に取り付けられたときに、２つのフレーム３がベース板２から離れないようにベース板２をロックする。
【００５１】
（作用）
表示装置１を壁に取り付ける作業者は、図１に示すように、表示装置１の背面に２つの縦フレーム３を固定し、壁面に固定されたベース板２の係合部２ａに、２つの縦フレーム３の係合部３ａを引っ掛けるようにして、表示装置１を壁面に固定する。
このとき、作業者は、ロック機構４１により、２つの縦フレーム３をベース板２にロックするが、２つのうちの一方の縦フレーム３の２つの側壁部３２は、２つの凸部２３ｂの間に配置される。
【００５２】
図１４及び図１５は、縦フレーム３がベース板２にロックされているときの、スライドストッパ２１の凸部２３ｂの位置を説明するための図である。図１４は、縦フレーム３がベース板２にロックされているときの、凸部２３ｂの近傍領域を拡大した側面図である。図１５は、縦フレーム３がベース板２に固定されているときの、凸部２３ｂの近傍領域を拡大した平面図である。
【００５３】
図１４及び図１５に示すように、凸部２３ｂは、側壁部３２の凹部３２ｃの部分を挟むように、縦フレーム３側に突出する。図１５に示すように、隣り合う２つの凸部２３ｂの間に側壁部３２が配設されている。
すなわち、２つのフレーム３がベース板２に取り付けられたときに２つの凸部２３ｂの間に、２つのフレーム３の少なくとも一方の２つの側壁部３２の一方が配置される。２つの凸部２３ｂは、凹凸部２３ａの一部である。
【００５４】
そのため、表示装置１に外力などが掛かって、２つの縦フレーム３が表示装置１と共に水平方向に移動しようとしても、２つの凸部２３ｂにより、縦フレーム３は横方向への移動が阻止される。
【００５５】
よって、上述した実施形態によれば、簡単な構成で、横移動の防止が可能な表示装置用壁取付具、表示装置用壁取付ベース板及び表示装置セットを提供することができる。ベース板２と２つの縦フレーム３により構成される表示装置用壁取付具と、表示装置１とが、表示装置セットを構成する。
特に、既成のベース板２がある場合には、上述したスライドストッパ２１をベース板２に後付するだけで、簡単に、表示装置の横移動の防止が可能な表示装置用壁取付具を実現することができる。
【００５６】
次に、上述した実施形態の変形例を説明する。  
なお、以下の変形例において、上述した実施形態と構成要素については、同じ符号を付して説明は省略する。
（変形例１)
上述した実施形態では、複数の凸部２３ｂは、ベース板２に固定されるスライドストッパ２１に設けられているが、複数の凸部２３ｂは、ベース板２に設けるようにしてもよい。
【００５７】
図１６は、変形例１に係わるベース板２Ａの斜視図である。図１７は、変形例１に係わるベース板２Ａに設けられた凸部５２を拡大した斜視図である。図１８は、変形例１に係わるベース板２Ａの一部の底面図である。
【００５８】
ベース板２Ａは、係合部２ａ、２ｂを折り曲げて形成する前に、下側の縁辺部の近傍に、長手軸方向に沿って形成された複数の孔５１が形成される。そして、各孔５１には、下側に向かって突出した凸部５２が予め形成されている。
【００５９】
このような複数の孔５１が形成されたベース板２Ａの上側は長手軸方向に平行に折り曲げられて、上述した実施形態と同様の張出部１１と延出部１２が形成される。
ベース板２Ａの下側は長手軸方向に平行に折り曲げられて、上述した実施形態と同様の張出部１３と延出部１４が形成されるが、凸部５２を折り曲げないように、延出部１４が複数の孔５１の略中央を通る線に沿って折り曲げされる。複数の凸部５２が、上述した複数の凸部２３ｂに対応する。
すなわち、張出部１３は、ベース板２Ａの一部を水平方向に沿って折り曲げて形成され、２つの凸部５２は、折り曲げられた張出部１３の先端部に形成されている。
【００６０】
その結果、図１８に示すように、凸部５２の先端部分は、延出部１４の表面から突出する。  
なお、本変形例１においても、複数の凸部５２は、２つの縦フレーム３の一方が含まれる領域内にさえあればよく、さらに、ベース板２Ａは、縦フレーム３の１つの側壁部３２を挟む２つの凸部５２を有していればよい。
【００６１】
以上のような構成によっても、実施形態と同様の効果を生じると共に、スライドストッパ２１を用いなくても、１枚の板金部材を折り曲げて複数の凸部２３ｂを形成したベース板２Ａで済むので、表示装置用壁取付具のコスト低減を図ることができる。
（変形例２）
上述した変形例１では、複数の孔５１を形成して、複数の凸部５２が延出部１４の表面から突出するように、ベース板２Ａが折り曲げられるが、延出部１４の表面に複数の凸部を形成するようにしてもよい。
【００６２】
図１９は、変形例２に係わるベース板２Ｂの斜視図である。図２０は、変形例２に係わるベース板２Ｂに設けられた凸部６１を拡大した斜視図である。図２１は、変形例２に係わるベース板２Ｂの一部の底面図である。
【００６３】
ベース板２Ｂを折り曲げて係合部２ａ、２ｂを形成する前あるいは形成した後に、延出部１４の背面側からパンチで叩くようにして絞り加工により、延出部１４の表面側に突出した凸部６１を長手軸方向に沿って形成する。複数の凸部６１が、上述した複数の凸部２３ｂに対応する。  
すなわち、張出部１３は、ベース板２Ｂを水平方向に沿って折り曲げて形成され、２つの凸部６１は、張出部１３を折り曲げて形成された延出部１４の表面に形成されている。
その結果、図２１に示すように、凸部６１の先端部分は、延出部１４の表面から突出する。
【００６４】
なお、本変形例２においても、複数の凸部６１は、２つの縦フレーム３の一方が含まれる領域内にさえあればよく、さらに、ベース板２Ｂは、縦フレーム３の１つの側壁部３２を挟む２つの凸部６１を有していればよい。
【００６５】
以上のような構成によっても、実施形態と同様の効果を生じると共に、スライドストッパ２１を用いなくても、１枚の板金部材に複数の凸部６１を形成したベース板２Ｂで済むので、コスト低減を図ることができる。
【００６６】
以上のように、実施形態及び各変形例によれば、簡単な構成で、横移動の防止が可能な表示装置用壁取付具、表示装置用壁取付ベース板及び表示装置セットを提供することができる。
【００６７】
振動、外力などの力が表示装置に加わることがあっても、表示装置がユーザの意図しない位置に横移動してしまうことがない。よって、表示装置から延出する配線、配線の接続部に負荷が掛かることもない。
【００６８】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００６９】
１  表示装置、１ａ  バックカバー、１ｂ  表示面、２、２Ａ、２Ｂ  ベース板、２ａ、２ｂ  係合部、２ｃ  折り曲げ部、２ｄ  長孔、２ｅ  段差部、３  縦フレーム、３ａ  係合部、３ｂ  当接部、４  ベース板、１０  平板部、１１  張出部、１２  延出部、１３  張出部、１４  延出部、２１  スライドストッパ、２２  平板部、２２ａ  長孔、２３  延出部、２３ａ  凹凸部、２３ｂ  凸部、２３ｃ  凹部、３１  底板部、３１ａ  孔、３１ｂ  長孔、３２  側壁部、３２ａ  切り欠き部、３２ｂ、３２ｃ  凹部、３２ｄ  長孔、３２ｆ  孔、３２ｇ  爪、３３  係止爪、４１  ロック機構、４２  軸部材、４２ａ  拡径部、４２ｂ  留め輪、４３  可動部材、４３ａ  爪部、４４  バネ、４５  ワッシャ、５１  孔、５２、６１  凸部。
【図１】
2019068315.tif 000003
【図２】
2019068315.tif 000004
【図３】
2019068315.tif 000005
【図４】
2019068315.tif 000006
【図５】
2019068315.tif 000007
【図６】
2019068315.tif 000008
【図７】
2019068315.tif 000009
【図８】
2019068315.tif 000010
【図９】
2019068315.tif 000011
【図１０】
2019068315.tif 000012
【図１１】
2019068315.tif 000013
【図１２】
2019068315.tif 000014
【図１３】
2019068315.tif 000015
【図１４】
2019068315.tif 000016
【図１５】
2019068315.tif 000017
【図１６】
2019068315.tif 000018
【図１７】
2019068315.tif 000019
【図１８】
2019068315.tif 000020
【図１９】
2019068315.tif 000021
【図２０】
2019068315.tif 000022
【図２１】
2019068315.tif 000023